(57)【要約】      （修正有）【課題】溶接部からの熱の遮熱効果をより高めることができる遮熱装置およびこれを備える溶接トーチを提供する。【解決手段】溶接トーチ３００の適部に取り付けるための遮熱装置Ａ１であって、溶接トーチ３００に連結される支持部１００と、支持部１００に支持される遮熱部２００と、備え、遮熱部２００は、第１の遮熱板２１０と、第１の遮熱板２１０との間に断熱部２５０を介して配置される第２の遮熱板２２０と、を含む。【選択図】図１
2020175401.tif 000002
【特許請求の範囲】
【請求項１】
溶接トーチの適部に取り付けるための遮熱装置であって、
上記溶接トーチに連結される支持部と、
上記支持部に支持される遮熱部と、を備え、
上記遮熱部は、第１の遮熱板と、
上記第１の遮熱板との間に断熱部を介して配置される第２の遮熱板と、
を含むことを特徴とする、遮熱装置。
【請求項２】
上記断熱部は、上記第１の遮熱板と当該第１の遮熱板の厚み方向に離隔して位置する上記第２の遮熱板との間の空気層である、請求項１に記載の遮熱装置。
【請求項３】
上記第２の遮熱板は、上記第１の遮熱板に対して着脱可能に取り付けられている、請求項２に記載の遮熱装置。
【請求項４】
上記第２の遮熱板の上記第１の遮熱板と反対側に、それぞれ、上記第１の遮熱板側に隣接する遮熱板との間に断熱部を介して配置される１または複数の遮熱板をさらに含む、請求項１ないし３のいずれかに記載の遮熱装置。
【請求項５】
請求項１ないし４のいずれかに記載の遮熱装置が上記支持部を介して連結されていることを特徴とする、溶接トーチ。
【発明の詳細な説明】
【技術分野】
【０００１】
本発明は、遮熱装置およびこれを備える溶接トーチに関する。
【背景技術】
【０００２】
特許文献１に記載されているように、たとえばアーク溶接用の手動溶接トーチにおいて、アークによる高熱を発する溶接部からの輻射熱を遮熱して、高熱が作業者の手に伝播するのを防止する遮熱装置が設けられることがある。
【０００３】
同文献に記載された遮熱装置は、溶接部からの輻射熱を遮蔽してこの輻射熱が溶接トーチのグリップ部に到達することを防止するために、１枚の遮熱板を溶接トーチの適部に支持して構成されている。
【０００４】
ところで近年、溶接作業の効率化、高速化を実現するため、より大きな溶接電流により溶接作業が行われるに至っており、溶接部が発する熱の熱量も増大してきている。そのため、単に一枚の遮熱板を設けるだけの遮熱装置では十分な遮熱が行われないという課題が顕在化している。
【先行技術文献】
【特許文献】
【０００５】
【特許文献１】実開昭５３−５３４３８号公報
【発明の概要】
【発明が解決しようとする課題】
【０００６】
本発明は、上記した事情のもとで考え出されたものであって、溶接部からの熱の遮熱効果をより高めることができる遮熱装置およびこれを備える溶接トーチを提供することをその課題とする。
【課題を解決するための手段】
【０００７】
上記課題を解決するため、本発明では、次の技術的手段を採用した。
【０００８】
すなわち、本発明の第１の側面によって提供される遮熱装置は、溶接トーチの適部に取り付けるための遮熱装置であって、上記溶接トーチに連結される支持部と、上記支持部に支持される遮熱部と、を備え、上記遮熱部は、第１の遮熱板と、上記第１の遮熱板との間に断熱部を介して配置される第２の遮熱板と、を含むことを特徴とする。
【０００９】
好ましい実施の形態では、上記断熱部は、上記第１の遮熱板と当該第１の遮熱板の厚み方向に離隔して位置する上記第２の遮熱板との間の空気層である。
【００１０】
好ましい実施の形態では、上記第２の遮熱板は、上記第１の遮熱板に対して着脱可能に取り付けられている。
【００１１】
好ましい実施の形態では、上記第２の遮熱板の上記第１の遮熱板と反対側に、それぞれ、上記第１の遮熱板側に隣接する遮熱板との間に断熱部を介して配置される１または複数の遮熱板をさらに含む。
【００１２】
本発明の第２の側面によって提供される溶接トーチは、上記第１の側面に係る遮熱装置が上記支持部を介して連結されていることを特徴とする。
【発明の効果】
【００１３】
上記構成の遮熱装置によれば、遮熱板を少なくとも２枚有するだけではなく、各遮熱板間に断熱部が介在しているので、溶接部からの高熱の輻射熱が溶接トーチのたとえば作業者が握持するハンドル部に伝播されることを効果的に防止することができ、大電流を用いて溶接作業をする場合においても、安全を確保することができる。
【００１４】
また、断熱部を遮熱板間の空気層で構成し、第２の遮熱板を第１の遮熱板に対して着脱可能とすることにより、１枚の遮熱板を有する既存の遮熱装置を容易に本発明に係る遮熱装置とすることができる。
【００１５】
本発明のその他の特徴および利点は、図面を参照して以下に行う詳細な説明から、より明らかとなろう。
【図面の簡単な説明】
【００１６】
【図１】本発明の一実施形態に係る遮熱装置を有する溶接トーチの一例の側面図であ る。
【図２】本発明の一実施形態に係る遮熱装置の側面図である。
【図３】図２に示した遮熱装置の正面図である。
【図４】図３のIV-IV線に沿う断面図である。
【発明を実施するための形態】
【００１７】
以下、本発明の好ましい実施の形態につき、図面を参照して具体的に説明する。
【００１８】
図１は、本発明の一実施形態に係る遮熱装置Ａ１が取り付けられた溶接トーチ３００の一例を示す。
【００１９】
溶接トーチ３００は、消耗電極式アーク溶接を手動で行うためのものであり、トーチ本体３１０と、ノズル３２０と、トーチ本体３１０の一部を覆うように設けられるハンドル部３３０とを有し、当該溶接トーチ３００の後端はコンジットケーブル３４０に連結されている。トーチ本体３１０は、ハンドル部３３０の前方側において、下向きに湾曲してノズル３２０に至っている。図示しないワイヤ送給装置によりコンジットケーブル３４０内を送給されてくるワイヤ（図示略）は、トーチ本体３１０内で給電をうけつつ、ノズル３２０の先端から送出される。ノズル３２０には、不活性ガスからなるシールドガスが供給され、シールドガスは、ワイヤを取り囲むようにしてノズル３２０の先端から噴出させられる。ハンドル部３３０にはトリガスイッチ３３１が設けられ、ハンドル部３３０を握持する手でトリガスイッチ３３１を操作することにより、溶接トーチ３００のオン・オフ、すなわち、ワイヤ送給およびシールドガス供給のオン・オフが制御される。
【００２０】
遮熱装置Ａ１は、支持部１００と、遮熱部２００とを備える。
【００２１】
支持部１００は、遮熱部２００を支持してこれを溶接トーチ３００の適部に連結するためのものである。本実施形態では、支持部１００は、円管状のトーチ本体３１０におけるハンドル部３３０の前方に近接する部位に対してこれを抱くようにして連結する構成をとっている。すなわち、支持部１００は、図３に表れているように、上面に円筒内面状の凹陥部１１１を有する台座部１１０と、凹陥部１１１の側部において台座部１１０に対して回動可能な押圧片１２０を設けて構成されている。支持部１００は、凹陥部１１１にトーチ本体３１０を嵌め込み、トーチ本体３１０の上部を横断する姿勢に回動させた押圧片１２０を、台座部１１０にねじ込まれるボルト１２１の作用によりトーチ本体３１０に押し
付けることにより、トーチ本体３１０に対して連結される。なお、支持部１００の台座部１１０および押圧片１２０は、たとえば金属または耐熱樹脂により形成することができる。
【００２２】
遮熱部２００は、第１の遮熱板２１０と、第２の遮熱２２０と、これら第１の遮熱板２１０と第２の遮熱板２２０との間に介在する断熱部２５０と、を有する。
【００２３】
第１の遮熱板２１０は、下方に向かうにつれ幅が縮小する平板部２１１と、この平板部２１１の両側縁に隣接する左右の側板部２１２を有する。左右の側板部２１２は、平板部２１１に対して後方に向けて傾斜している。第１の遮熱板２１０は、図１に示されるように、トーチ本体３１０に対してやや後方に傾斜しつつ下方に延びる姿勢をとるように支持部１００に対して連結され、ノズル３２０先端の前方の溶接部からハンドル部３３０に向かう輻射熱を遮蔽する。当該第１の遮熱板２１０の支持部１００に対する連結は、図４に表れているように、平板部２１１の上部に設けた透孔２１３を通したねじ２１４を支持部１００の適部にねじ込むなどして行うことができる。なお、この第１の遮熱板２１０は、たとえば金属または耐熱樹脂などで形成することができる。
【００２４】
第２の遮熱板２２０は、本実施形態では、第１の遮熱板２１０と同じ形態を有するものが使用されている。すなわち、第２の遮熱板２２０についても、たとえば金属または耐熱樹脂により形成され、下方に向かうにつれ幅が縮小する平板部２２１と、この平板部２２１の両側縁に隣接する左右の側板部２２２を有する。左右の側板部２２２は、平板部２２１に対して後方に向けて傾斜している。
【００２５】
第２の遮熱板２２０は、第１の遮熱板２１０に対し、その厚み方向前方に所定間隔をあけて平行に位置するように配置される。本実施形態では、第２の遮熱板２２０は、第１の遮熱板２１０に対し、着脱可能に取り付けられている。具体的には、図４に良く表れているように、第２の遮熱板２２０の上部に後方に延びる取り付けステー２２３を一体に設け、この取り付けステー２２３の後端から下方にのびるＵ字状弾性クリップ部２２４を形成し、このＵ字状弾性クリップ部２２４で第１の遮熱板２１０の上部を弾性的に挟み込むようにしている。
【００２６】
上記のように第１の遮熱板２１０に対して第２の遮熱板２２０が所定間隔をあけて配置されることにより、第１の遮熱板２１０と第２の遮熱板２２０との間に、空気層からなる断熱部２５０が形成される。
【００２７】
次に、上記構成の遮熱装置Ａ１の作用について説明する
【００２８】
第１の遮熱板２１０と第２の遮熱板２２０とを有する遮熱部２００がノズル３２０の先端方の溶接部からハンドル部３３０に向かう輻射熱を遮蔽することができる。この遮熱装置Ａ１は、第１の遮熱板２１０と第２の遮熱板２２０とが二重になって輻射熱を遮蔽するだけではなく、第１の遮熱板２１０と第２の遮熱板２２０との間に断熱部２５０が設けられているので、熱輻射を直接受ける第２の遮熱板２２０が加熱されても、その熱が断熱部２５０により吸収されるので、ハンドル部３３０により近い第１の遮熱板２１０の昇温が抑制され、これにより、溶接部からハンドル部３３０に向かう輻射熱の遮蔽効果がより高められる。
【００２９】
本実施形態においては、第１の遮熱板２１０と第２の遮熱板２２０は、左右の側板部２１２，２２２が平板部２１１，２２１に対して後方に傾斜しているので、ハンドル部３３０を握持する作業者の手を前方ないし左右前方から取り囲むようになり、より効果的に作
業者の手を輻射熱から保護することができる。
【００３０】
本実施形態では、断熱部２５０を第１の遮熱板２１０と第２の遮熱板２２０との間に介在する空気層により形成しているので、別途の断熱部材が不要であり、コスト的に有利である。
【００３１】
さらに、本実施形態では、第２の遮熱板２２０は第１の遮熱板２１０に対して着脱可能に構成しているので、既存の遮熱装置が有する遮熱板を第１の遮熱板２１０とし、追加の遮熱板を第２の遮熱板２２０として設けることにより、容易に本発明に係る遮熱装置Ａ１を構成することができる。
【００３２】
もちろん、本発明の範囲は上記した実施形態に限定されるものではなく、各請求項に記載した事項の範囲内でのあらゆる変更は、すべて本発明の範囲に含まれる。
【００３３】
第１の遮熱板２１０および第２の遮熱板２２０の形態は問われず、単なる平板とするほか、前方に凸に湾曲する球面または円筒面を有するものとすることもできる。
【００３４】
実施形態では、第２の遮熱板２２０を第１の遮熱板２１０と同じ大きさとしているが発熱部により第２の遮熱板２２０を第１の遮熱板２１０より大型としてもよい。
【００３５】
実施形態では、第２の遮熱板２２０を第１の遮熱板２１０に対して着脱可能とする手法として、弾性クリップ部２２４を第２の遮熱板２２０に設けているが、着脱可能とする手
法は、ねじを用いるなど、どのような手法であってもよい。
【００３６】
実施形態では、断熱部２５０を第１の遮熱板２１０と第２の遮熱板２２０との間の空気層としているが、たとえば、石綿やガラス繊維による不織布の積層物など、種々の耐熱性断熱材を用いることができる。
【００３７】
実施形態では、支持部１００に連結される第１の遮熱板２１０に対して、ハンドル部３３０に対して反対側（溶接部側）に第２の遮熱板２２０を配置しているが、第２の遮熱板２２０を第１の遮熱板２１０に対して、ハンドル部３３０側に配置してもよい
【００３８】
さらに、実施形態では、２枚の遮熱板（第１の遮熱板２１０および第２の遮熱板２２０）を有しているが、第２の遮熱板２２０の第１の遮熱板２１０と反対側に、それぞれ、上記第１の遮熱板側に隣接する遮熱板との間に断熱部を介して複数の遮熱板を配置するなどして、３枚以上の遮熱板を有するように構成し、遮熱効果をさらに高めるようにしてもよい。
【符号の説明】
【００３９】
Ａ１:遮熱装置、１００:支持部、２００:遮熱部、２１０:第１の遮熱板、２２０:第２の遮熱板、２５０:断熱部
【図１】
2020175401.tif 000003
【図２】
2020175401.tif 000004
【図３】
2020175401.tif 000005
【図４】
2020175401.tif 000006